(57)【要約】【課題】ユーザにとって価値の高い、番組のソート結果を提示する。【解決手段】番組表示方法は、記録媒体に録画された番組毎の付随情報の一部である番組の出演者が記載された出演者情報を参照して、前記記録媒体に録画された複数の番組の中から、指定された人物名を出演者に含む番組を検索する番組検索工程と、前記出演者情報における前記人物名の記載状態の違いに応じて、前記検索された番組毎にポイントを付与し、当該ポイントの大小関係に応じて、前記検索された番組をソートするソート工程と、前記ソートされた番組の一覧を表示部に表示させる一覧表示工程とを有する。【選択図】図４
2015226121.tif 000002
【特許請求の範囲】
【請求項１】
記録媒体に録画された番組毎の付随情報の一部である番組の出演者が記載された出演者情報を参照して、前記記録媒体に録画された複数の番組の中から、指定された人物名を出演者に含む番組を検索する番組検索工程と、
前記出演者情報における前記人物名の記載状態の違いに応じて、前記検索された番組毎にポイントを付与し、当該ポイントの大小関係に応じて、前記検索された番組をソートするソート工程と、
前記ソートされた番組の一覧を表示部に表示させる一覧表示工程と、
を有することを特徴とする番組表示方法。
【請求項２】
前記ソート工程は、前記出演者情報における前記人物名の記載順に応じて前記検索された番組にポイントを付与することを特徴とする請求項１に記載の番組表示方法。
【請求項３】
前記ソート工程は、前記ポイントが同じである前記検索された複数の番組については、前記出演者情報に記載された出演者の数に応じてソート順を決定することを特徴とする請求項１または請求項２に記載の番組表示方法。
【請求項４】
前記ソート工程は、前記付随情報の一部である番組名に前記人物名の少なくとも一部が含まれるか否かにより、前記ポイントを補正することを特徴とする請求項１〜請求項３のいずれかに記載の番組表示方法。
【請求項５】
前記ソート工程は、前記人物名とは別の出演者名であって前記出演者情報において主たる出演者およびゲストの出演者のいずれにも該当しないことを示唆する特定の文字列を伴う出演者名を除外して、前記出演者情報における前記人物名の記載順を認定することを特徴とする請求項２に記載の番組表示方法。
【請求項６】
前記ソート工程は、前記検索された番組を、前記出演者情報における前記人物名の記載状態の違いに応じて、前記人物名が主たる出演者である番組の番組群と、前記人物名がゲストの出演者である番組の番組群とに分け、当該番組群内で前記ソートを行うことを特徴とする請求項１〜請求項５のいずれかに記載の番組表示方法。
【請求項７】
前記ソート工程は、前記出演者情報における前記人物名の記載順が所定の数値以下である番組を、前記人物名が主たる出演者である番組と判別し、前記出演者情報における前記人物名の記載順が当該数値より大きい番組を、前記人物名がゲストの出演者である番組と判別することを特徴とする請求項６に記載の番組表示方法。
【請求項８】
前記ソート工程は、前記付随情報の一部である番組のジャンルを示すジャンル情報に応じて、前記所定の数値を変更することを特徴とする請求項７に記載の番組表示方法。
【請求項９】
前記ソート工程は、前記出演者情報において前記人物名が前記主たる出演者であること示唆する特定の文字列を伴う番組を、前記人物名が主たる出演者である番組と判別し、前記出演者情報において前記人物名が前記ゲストの出演者であること示唆する特定の文字列を伴う番組を、前記人物名がゲストの出演者である番組と判別することを特徴とする請求項６に記載の番組表示方法。
【請求項１０】
前記ソート工程は、前記検索された番組を放送回が異なる同じ番組との間で前記出演者情報を比較したとき、前記人物名が複数の放送回の前記出演者情報に重複して含まれている場合、当該番組を前記人物名が主たる出演者である番組と判別し、前記人物名が複数の放送回の前記出演者情報において重複していない場合、当該番組を前記人物名がゲストの出演者である番組と判別することを特徴とする請求項６に記載の番組表示方法。
【請求項１１】
前記番組検索工程は、複数の指定された人物名毎に、当該人物名を出演者に含む番組を検索し、
前記人物名毎に、前記検索された番組数あるいは前記検索された番組毎の前記ポイントの合計数を表示部に表示させる人物別表示工程を有し、
前記ソート工程は、前記人物別表示工程で表示された複数の人物名の中から選択された人物名にかかる前記検索された番組をソートする、
ことを特徴とする請求項１〜請求項１０のいずれかに記載の番組表示方法。
【請求項１２】
テレビ放送される番組を記録媒体へ録画する録画装置であって、
前記記録媒体に録画された番組毎の付随情報の一部である番組の出演者が記載された出演者情報を参照して、前記記録媒体に録画された複数の番組の中から、指定された人物名を出演者に含む番組を検索し、
前記出演者情報における前記人物名の記載状態の違いに応じて、前記検索された番組毎にポイントを付与し、当該ポイントの大小関係に応じて、前記検索された番組をソートし、
前記ソートされた番組の一覧を表示部に表示させる、ことを特徴とする録画装置。
【発明の詳細な説明】
【技術分野】
【０００１】
本発明は、番組表示方法および録画装置に関する。
【背景技術】
【０００２】
昨今、テレビ放送される番組をハードディスクへ録画する録画装置の性能や記憶容量（ハードディスクの記憶容量）の向上に従い、より多くの番組がハードディスクに録画されるようになった。ユーザは、このように大量に録画された複数の番組の中から、再生させたい番組を選ぶ際、録画装置が有する検索機能を利用して番組を選択することができる。
【０００３】
なお、番組を映出する映像表示手段と、映像表示手段によって既に映出された番組について、少なくとも番組の出演者を表す出演者情報を含む番組に関する情報を記録しておく記録手段と、記録手段に記録された番組に関する情報の出演者情報を読み出す読み出し手段と、読み出された出演者情報に基づいて出演者毎に出現頻度を計数する計数手段と、計数手段により計数された出演者の出現頻度が高い順にソートされた出演者の一覧を表示するトレンド情報表示手段を備える視聴装置が知られている（特許文献１参照）。
【先行技術文献】
【特許文献】
【０００４】
【特許文献１】特許第３７９７７０９号
【発明の概要】
【発明が解決しようとする課題】
【０００５】
従来の録画装置が有する検索機能は、キーワードや番組のジャンルを入力させて検索することで、録画済みの複数の番組の中から検索した番組（番組のタイトル）を、放送日時が古い順、あるいは新しい順にソートして表示する程度であった。しかし、このような検索機能は、番組の内容まで考慮して番組をソートするものではないため、より自分の嗜好を満たすランキング（ソート結果）を得たいというユーザの要望に十分に応えているとは言えなかった。
【０００６】
また、前記文献は、既に映出された番組における出現頻度が高い順にソートした出演者の一覧を表示するものであるが、録画された番組の中から検索した番組をソートしてユーザに提示するものではない。従って上述したようなユーザの要望には応えられない。
【０００７】
本発明は少なくとも上述の課題を解決するためになされたものであり、よりユーザの利便性や満足度を向上させる番組のソート結果を提示可能な番組表示方法および録画装置を提供する。
【課題を解決するための手段】
【０００８】
本発明の態様の一つは、番組表示方法は、記録媒体に録画された番組毎の付随情報の一部である番組の出演者が記載された出演者情報を参照して、前記記録媒体に録画された複数の番組の中から、指定された人物名を出演者に含む番組を検索する番組検索工程と、前記出演者情報における前記人物名の記載状態の違いに応じて、前記検索された番組毎にポイントを付与し、当該ポイントの大小関係に応じて、前記検索された番組をソートするソート工程と、前記ソートされた番組の一覧を表示部に表示させる一覧表示工程とを有する。
【０００９】
本態様によれば、録画された番組の中から、指定された人物名が出演者に含まれる番組が検索され、これら検索された番組は、番組毎の出演者情報における前記人物名の記載状態の違いに応じたポイントの大小関係によりソートされ、一覧表示される。従って、番組の内容における前記人物名の重要性（重要な出演者か否か）等が反映されたソート結果をユーザに提供でき、ユーザは、前記人物名が出演者に含まれる番組であって自分の嗜好に近い番組を、容易に見つけることができる。
【００１０】
本発明の技術的思想は、番組表示方法以外の態様によって実現されてもよい。例えば、番組表示方法を実行する物（録画装置）を一つの発明として捉えることができる。また、当該方法を録画装置（録画装置が搭載するコンピュータ）に実行させるためのプログラムや、当該プログラムを記憶したコンピュータ読取可能な記憶媒体を、それぞれ発明として捉えることができる。
【図面の簡単な説明】
【００１１】
【図１】レコーダの概略構成を示すブロック図。
【図２】第１，第２，第３実施例の番組表示処理を示すフローチャート。
【図３】番組説明画面を例示する図。
【図４】第１，第２，第３実施例の番組一覧画面を例示する図。
【図５】第４，第５，第６，第７実施例の番組表示処理を示すフローチャート。
【図６】番組群分け画面を例示する図。
【図７】第４，第５，第６，第７実施例の番組一覧画面を例示する図。
【図８】第９，第１０実施例の番組表示処理を示すフローチャート。
【図９】第９実施例の指定人物分け画面を例示する図。
【図１０】第１０実施例の指定人物分け画面を例示する図。
【発明を実施するための形態】
【００１２】
本発明の実施形態として、前記ソート工程は、前記出演者情報における前記人物名の記載順に応じて前記検索された番組にポイントを付与するとしてもよい。
また、本発明の実施形態として、前記ソート工程は、前記ポイントが同じである前記検索された複数の番組については、前記出演者情報に記載された出演者の数に応じてソート順を決定するとしてもよい。
また、本発明の実施形態として、前記ソート工程は、前記付随情報の一部である番組名に前記人物名の少なくとも一部が含まれるか否かにより、前記ポイントを補正するとしてもよい。
【００１３】
また、本発明の実施形態として、前記ソート工程は、前記人物名とは別の出演者名であって前記出演者情報において主たる出演者およびゲストの出演者のいずれにも該当しないことを示唆する特定の文字列を伴う出演者名を除外して、前記出演者情報における前記人物名の記載順を認定するとしてもよい。
【００１４】
また、本発明の実施形態として、前記ソート工程は、前記検索された番組を、前記出演者情報における前記人物名の記載状態の違いに応じて、前記人物名が主たる出演者である番組の番組群と、前記人物名がゲストの出演者である番組の番組群とに分け、当該番組群内で前記ソートを行うとしてもよい。
また、本発明の実施形態として、前記ソート工程は、前記出演者情報における前記人物名の記載順が所定の数値以下である番組を、前記人物名が主たる出演者である番組と判別し、前記出演者情報における前記人物名の記載順が当該数値より大きい番組を、前記人物名がゲストの出演者である番組と判別するとしてもよい。
また、本発明の実施形態として、前記ソート工程は、前記付随情報の一部である番組のジャンルを示すジャンル情報に応じて、前記所定の数値を変更するとしてもよい。
【００１５】
また、本発明の実施形態として、前記ソート工程は、前記出演者情報において前記人物名が前記主たる出演者であること示唆する特定の文字列を伴う番組を、前記人物名が主たる出演者である番組と判別し、前記出演者情報において前記人物名が前記ゲストの出演者であること示唆する特定の文字列を伴う番組を、前記人物名がゲストの出演者である番組と判別するとしてもよい。
また、本発明の実施形態として、前記ソート工程は、前記検索された番組を放送回が異なる同じ番組との間で前記出演者情報を比較したとき、前記人物名が複数の放送回の前記出演者情報に重複して含まれている場合、当該番組を前記人物名が主たる出演者である番組と判別し、前記人物名が複数の放送回の前記出演者情報において重複していない場合、当該番組を前記人物名がゲストの出演者である番組と判別するとしてもよい。
【００１６】
また、本発明の実施形態として、前記番組検索工程は、複数の指定された人物名毎に、当該人物名を出演者に含む番組を検索し、番組表示方法は、前記人物名毎に、前記検索された番組数あるいは前記検索された番組毎の前記ポイントの合計数を表示部に表示させる人物別表示工程を有し、前記ソート工程は、前記人物別表示工程で表示された複数の人物名の中から選択された人物名にかかる前記検索された番組をソートするとしてもよい。
【００１７】
以下、図面を参照しながら本発明の実施形態を更に説明する。以下の実施形態では、テレビ放送される番組を受信して録画可能な録画装置の一例であるハードディスクレコーダ（以下、レコーダ）に本発明を適用した場合について説明する。なお、本発明にかかる録画装置は、録画（記録）再生装置、放送受信装置、等と呼んでもよい。
【００１８】
（装置の概略）
まず、レコーダ１００の構成について説明する。レコーダ１００は、図１に示すように、表示装置２００（表示部の一例）が接続されるレコーダ本体１と、レコーダ本体１を遠隔操作するリモートコントローラ（リモコン）２とを備えている。録画装置の分野では、複数のチャンネルを指定し、当該指定した複数のチャンネルで受信される番組を並行して録画し続ける機能が知られている。当該機能は、丸録、全録、タイムシフト機能、ループ録画、など各種の呼び名で呼ばれている。レコーダ１００は、このようなループ録画を実行可能な機種であるとしてもよい。また、レコーダ１００は、本発明にかかる番組表示方法（図２，５，８のフローチャート参照）を実行する。
【００１９】
レコーダ本体１は、チューナ１１と、ＨＤＤ（Hard disk drive）部１２と、ＤＶＤ（Digital Versatile Disk）部１３と、信号処理部１４と、ＥＰＧ（Electronic Program Guide：電子番組ガイド）データ抽出部１５と、ＯＳＤ（On-Screen Display）部１６と、合成部１７と、出力部１８と、受信部１９と、ＣＰＵ２０と、ＲＯＭ２１と、ＲＡＭ２２とを含んでおり、これらはバス１ａを介して接続されている。
【００２０】
チューナ１１には、アンテナ（図示省略）が接続されている。図１では、チューナ１１は、複数のチューナの総称として描かれている。例えば、チューナ１１は、地上デジタル放送を受信する複数のチューナ、ＢＳデジタル放送を受信する複数のチューナ、および、ＣＳデジタル放送を受信する複数のチューナを含んでおり、地上デジタル放送、ＢＳデジタル放送、およびＣＳデジタル放送などの様々なテレビ放送の各チャンネルを同時に受信する。
【００２１】
チューナ１１は、受信した放送信号を信号処理部１４およびＥＰＧデータ抽出部１５に出力する。なお、チューナ１１が出力する放送信号には、番組を構成する映像音声情報および放送予定の番組の番組情報（ＥＰＧデータ）が含まれている。ＥＰＧデータは、番組毎の付随情報に該当する。ＥＰＧデータは、チャンネル名、番組名、解像度やビットレートなどの画質情報、番組の長さ（時間長）、開始時間、終了時間、その他、番組に関する詳細情報などを含む。この詳細情報には、番組の出演者が記載された出演者情報や、番組のジャンルを示すジャンル情報や、番組内容の説明等が含まれる。ＥＰＧデータ抽出部１５は、チューナ１１から入力された放送信号から定期的あるいは不定期に、その時点で最新のＥＰＧデータを抽出する。そして、抽出されたＥＰＧデータは、ＲＯＭ２１に記憶される。
【００２２】
ＨＤＤ部１２は、ハードディスクなどを有しており、番組（番組を構成する映像音声情報）を記録（つまり録画）し、また、記録した映像音声情報を信号処理部１４に出力する。ＤＶＤ部１３は、ディスクトレイや光ピックアップなどを有しており、ディスクトレイに載置されたＤＶＤ（図示省略）に対する読み込みおよび書き込みを行う。そして、ＤＶＤ部１３は、ＤＶＤから読み込んだ映像音声情報を信号処理部１４に出力する。むろん、ＤＶＤ部１３は、ＤＶＤ以外の光ディスク（ＣＤやブルーレイディスク等）に対する読み込みおよび書き込みを実行可能な製品でもよい。
【００２３】
レコーダ１００に対してループ録画の実行が指示されている場合、ＨＤＤ部１２は、チューナ１１やＣＰＵ２０等と協同して、ループ録画の対象として指定された複数のチャンネルのテレビ放送を複数のチューナでそれぞれ受信し、受信したテレビ放送に含まれる番組をチャンネル毎に並行してハードディスクに録画し続ける。むろん、レコーダ１００は、録画すべき番組の指定を受けて（録画予約等を受けて）録画を実行することも可能である。また、ＨＤＤ１２には、録画した番組にかかるＥＰＧデータも併せて記録される。
【００２４】
信号処理部１４は、デコーダなどを有しており、チューナ１１、ＨＤＤ部１２、およびＤＶＤ部１３から入力された信号に対して復調等の所定の処理を施す。そして、信号処理部１４は、所定の処理が施された信号を合成部１７に出力する。
【００２５】
ＯＳＤ部１６は、ＯＳＤ信号を生成するとともに、生成したＯＳＤ信号を合成部１７に出力する。ＯＳＤ部１６は、ＲＯＭ２１やＨＤＤ１２に記憶されているＥＰＧデータに基づいて、電子番組表（現在放送中および今後放送予定の番組を示した番組表、あるいはハードディスクに録画された番組を示した番組表）を表示するためのＯＳＤ信号を生成する。また、ＯＳＤ部１６は、後述するような各種画面（符号Ｇ１，Ｇ２，Ｇ３，Ｇ４，Ｇ５，Ｇ６で示される画面等）を表示するためのＯＳＤ信号を生成する。合成部１７は、信号処理部１４から入力された信号に、ＯＳＤ部１６から入力されたＯＳＤ信号を重畳して出力部１８に出力する。
【００２６】
出力部１８は、合成部１７から入力された信号を表示装置２００に出力する。表示装置２００は、たとえば、テレビ（テレビジョン受像機）であり、番組の映像や電子番組表や画面Ｇ１，Ｇ２，Ｇ３，Ｇ４，Ｇ５，Ｇ６などを表示し、また、番組の音声を不図示のスピーカから出力する。あるいは、レコーダ本体１および表示装置２００の機能を含んだ構成を、一つの製品（テレビ）として捉えることも可能である。受信部１９は、フォトダイオードなどを含み、リモコン２から出力されるリモコン信号を受信する。ＣＰＵ２０は、レコーダ本体１の動作を所定のプログラムに従って制御する。ＲＯＭ２１は、書き換え可能な不揮発性のメモリであり、たとえば、フラッシュメモリである。ＲＯＭ２１は、レコーダ本体１の動作を制御するための前記プログラムや、地上デジタル放送、ＢＳデジタル放送、およびＣＳデジタル放送等の数日間分のＥＰＧデータなどを記憶する。ＲＡＭ２２は、たとえば、ＤＲＡＭであり、前記プログラムが実行される際にデータなどを一時的に記憶する。
【００２７】
（第１実施例）
図２は、第１実施例にかかる番組表示処理を示すフローチャートである。当該フローチャートの各ステップは、ＣＰＵ２０により実行される。番組表示処理とは、概略的には、ハードディスクに録画された複数の番組の中から、検索条件に合う番組を検索し、検索された（検索の結果、抽出された）番組をソートし、ソートした番組の一覧を表示装置２００に表示させる処理である。
【００２８】
ステップＳ１００では、ＣＰＵ２０は、検索条件としての人物名の指定を受け付ける。本明細書において「人物名」とは、個人名に限らず、複数人による集団（コンビ、トリオ、グループ…）の名称も含み、また、本名（正式名称）に限らず、芸名、通名、愛称、ニックネーム、それらの一部（姓／名のいずれか一方、グループ名の一部、等）を含む概念である。つまり、ユーザは、ある人物名を出演者に含む録画済みの番組を再生したいときに、リモコン２を操作することにより当該人物名をレコーダ１００に対して入力し、レコーダ１００（ＣＰＵ２０）は、当該入力された人物名を受け付ける。
【００２９】
ステップＳ１１０では、ＣＰＵ２０は、ハードディスクに録画された複数の番組の中から、検索条件として前記指定された人物名（以下、指定人物名）を出演者に含む番組を検索する（番組検索工程）。当該検索は、録画された番組毎のＥＰＧデータの一部である出演者情報を参照して行う。
【００３０】
図３は、ＥＰＧデータに基づいて表示される電子番組表の一部である番組説明画面Ｇ１を例示している。番組説明画面Ｇ１は、ＥＰＧデータに基づいて表示装置２００に表示される電子番組表に含まれるいずれかの番組名を、ユーザがリモコン２を操作して選択したときに表示される画面である。番組説明画面Ｇ１には、選択されたある一つの番組について、例えば、チャンネル名、番組名、番組の放送日時等に加え、番組のジャンル、出演者情報（符号ＰＥ参照）や、番組内容の説明等が含まれている。なお、ステップＳ１１０において、番組説明画面Ｇ１が表示される訳ではないが、ＣＰＵ２０は、このようなＥＰＧデータに含まれる出演者情報ＰＥを参照することにより、指定人物名を出演者に含む番組を検索することができる。
【００３１】
ステップＳ１２０では、ＣＰＵ２０は、出演者情報における指定人物名の記載状態の違いに応じて、ステップＳ１１０で検索された番組をソートする（ソート工程）。「出演者情報における指定人物名の記載状態」とは、例えば、出演者情報における指定人物名の記載順である。図３を参照すると、出演者情報ＰＥには複数の出演者名が記載されており、当該複数の出演者の先頭から３番目に“山田○○○”という出演者が含まれている。仮に、この“山田○○○”が指定人物名であるとすると、図３の番組説明画面Ｇ１が示す番組については、指定人物名の記載順は３番目ということになる。
【００３２】
ＣＰＵ２０は、このような記載順に応じて、ステップＳ１１０で検索された番組毎にポイント（評価点）を付与する。例えば、出演者情報内における指定人物名の記載順が若い数字であるほど、高いポイントを付与する。そして、ＣＰＵ２０は、付与したポイントの大小関係に応じて、ステップＳ１１０で検索された番組をソートする。
【００３３】
ステップＳ１３０では、ＣＰＵ２０は、ステップＳ１２０でソートした番組の一覧を表示部（表示装置２００）に表示させる（一覧表示工程）。
図４は、ステップＳ１３０において表示される番組一覧画面Ｇ２を例示している。番組一覧画面Ｇ２は、指定人物名“山田○○○”が出演者に含まれる番組として検索された複数の番組（番組名Ｔ１，Ｔ２，Ｔ３，Ｔ４…）を、番組毎の前記ポイントが高い順（あるいは低い順）にソートして表示したものである。図４の例では、番組毎に、番組に付与された前記ポイントも併せて示されている。
【００３４】
ここで、出演者情報における指定人物名の記載順が先頭に近いほど、その番組の内容における指定人物名の重要度が高い（重要な出演者である）と想定される。そのため、第１実施例のように、所望の人物名（指定人物名）を出演者に含む録画済み番組の一覧であって、出演者情報における指定人物名の記載順に応じて付与されたポイントの大小関係に応じてソートされた番組の一覧（番組一覧画面Ｇ２）を表示することで、ユーザは、指定人物名がどの番組にどの程度の重要な立場（例えば、主役級の立場か脇役の立場か）で出演しているかを直感的に認識しながら再生したい番組を選択することができる。つまりユーザは、指定人物名が出演者に含まれる番組の中から自分の嗜好に近い番組を、より簡単に見つけることができる。
【００３５】
番組一覧画面Ｇ２の表示後、ＣＰＵ２０は、番組一覧画面Ｇ２上でユーザのリモコン２の操作により任意に選択された番組の再生を開始することができる。つまり、ＣＰＵ２０は、ＨＤＤ部１２、信号処理部１４、出力部１８等を制御することにより、ＨＤＤ部１２内のハードディスクに録画済みの当該選択にかかる番組の映像音声情報に基づく映像や音声の信号を表示装置２００に出力させる。
【００３６】
実施形態は上述の内容に限られるものではなく種々の態様が考えられ、後述するような各実施例を採用可能である。本明細書における実施形態や実施例を適宜組み合わせた構成も、本発明の開示範囲に入る。以下では、既に説明した事項が適宜適用されるものとし、主に、既に説明した事項と異なる点を主に説明する。
【００３７】
（第２実施例）
上述したようにステップＳ１２０において、指定人物名を出演者に含む番組毎にポイントを付与したとき、異なる番組に同じ点数が付与される場合がある。例えば、指定人物名が出演者に含まれる２つの番組（番組Ａおよび番組Ｂ）いずれにおいても、出演者情報における指定人物名の記載順が３番目であれば、番組Ａ，Ｂそれぞれに付与されるポイントは同じとなる。
【００３８】
ステップＳ１２０において、ＣＰＵ２０は、このように前記ポイントが同じである前記検索された複数の番組については、出演者情報に記載された出演者の数に応じてソート順を決定する。具体的には、出演者数（指定人物名を含めた出演者数）が少ないほど、指定人物名についての重要度が高いとみなす。つまり、指定人物名についての前記記載順が同じであっても、１０名の出演者が居る（出演者情報に１０名の出演者が記載されている）番組と、３名の出演者が居る（出演者情報に３名の出演者が記載されている）番組とでは、出演者数が少ない後者の番組の方が、番組内での指定人物名の重要度（例えば、出演時間の長さ）が上であると推測される。従って、例えば、番組Ａの出演者情報に記載されている出演者数＜番組Ｂの出演者情報に記載されている出演者数、である場合、ＣＰＵ２０は、前記ポイントが高い順に番組をソートするのであれば、指定人物名の重要度がより上であると推測される番組Ａを番組Ｂよりも上位にソートし、前記ポイントが低い順に番組をソートするのであれば、当該番組Ａを番組Ｂよりも下位にソートする。
【００３９】
図４では、番組一覧画面Ｇ２における上から３番目の番組（Ｔ３）と４番目の番組（Ｔ４）はいずれもポイントが同点（８ポイント）であるが、これら２つの番組が上述の番組Ａ，Ｂの具体例に該当し、出演者情報に記載された出演者数に応じてソート順が決定されている。
このような第２実施例によれば、少なくとも出演者情報における指定人物名の記載順と出演者数とに基づいて、指定人物名が出演者に含まれる番組のソートが実行されるため、ユーザにとってより価値が高い（番組内容における指定人物名の重要度をより的確に順位に反映した）番組の一覧表示が提供される。なお、出演者情報に記載された出演者数は、指定人物名と指定人物名以外の出演者との数の関係を表しているとも言えるため、出演者情報における指定人物名の記載状態の一例に該当する。
【００４０】
（第３実施例）
番組内での指定人物名の重要度は、番組名に指定人物名（一部でも可）が含まれるか否かによっても判定できる。番組名に指定人物名が含まれる番組とは、いわゆる冠番組であり、指定人物名が最も重要な出演者であることが強く推認される。
【００４１】
そこで、上述したステップＳ１２０において、ＣＰＵ２０は、ＥＰＧデータを参照して得られる番組名に指定人物名の少なくとも一部が含まれるか否かにより、前記ポイントを補正するとしてもよい。具体的には、番組名に指定人物名の少なくとも一部が含まれている番組については、前記記載順に応じたポイントに更なるポイントを加算したり、前記記載順に応じたポイントに所定の係数をかけてポイント数を増加させる。図４では、番組一覧画面Ｇ２における１番上の番組（Ｔ１）は、番組名に指定人物名“山田○○○”が含まれている。そのため当該番組に対しては、番組名に指定人物名の少なくとも一部が含まれている事実に基づき、前記のように補正されたポイントが付与され、補正後のポイントに応じてソート順が決められている。
【００４２】
このような第３実施例によれば、少なくとも出演者情報における指定人物名の記載順と番組名内における指定人物名の有無とに基づいて、指定人物名が出演者に含まれる番組のソートが実行される。そのため、ユーザにとってより価値が高い（番組内容における指定人物名の重要度をより的確に順位に反映した）番組の一覧表示が提供される。
【００４３】
（第４実施例）
図５は、第４実施例にかかる番組表示処理を示すフローチャートである。当該フローチャートの各ステップは、ＣＰＵ２０により実行される。
ステップＳ２００，Ｓ２１０は、ステップＳ１００，Ｓ１１０（図２）と同じであるため説明を省略する。
【００４４】
ステップＳ２２０では、ＣＰＵ２０は、ステップＳ２１０（番組検索工程）で検索された指定人物名を出演者に含む番組を、出演者情報における指定人物名の記載状態の違いに応じて、指定人物名が主たる出演者である番組（メイン出演番組）の番組群（メイン出演番組群）と、指定人物名が前記主たる出演者に該当しないゲストの出演者である番組（ゲスト出演番組）の番組群（ゲスト出演番組群）とに区分けする処理を、ソート工程（ステップＳ２２０〜Ｓ２５０）の一部として実行する。メイン出演番組とは、概念的には、指定人物名が番組における主たる出演者であり、例えば、指定人物名が、ＭＣ、司会、レギュラーメンバー、メインパーソナリティー、主役、主演等として出演する番組である。一方、ゲスト出演番組とは、概念的には、指定人物名がこのような主たる出演者に該当せず、例えば、指定人物名が、ゲスト、脇役等として出演する番組である。
【００４５】
例えば、ＣＰＵ２０は、出演者情報における指定人物名の記載順が所定の数値（しきい値ＴＨ）以下である番組を、メイン出演番組と判別し、出演者情報における指定人物名の記載順が当該しきい値ＴＨより大きい番組を、ゲスト出演番組と判別する。具体的に、しきい値ＴＨ＝３と仮定すると、出演者情報における指定人物名の記載順が１〜３番目に収まっている番組をメイン出演番組と判別し、出演者情報における指定人物名の記載順が４番目以降である番組をゲスト出演番組と判別する。
【００４６】
ステップＳ２３０では、ＣＰＵ２０は、メイン出演番組群と、ゲスト出演番組群とのいずれかを選択させるための番組群分け画面Ｇ３を表示装置２００に表示させる。
図６は、ステップＳ２３０において表示される番組群分け画面Ｇ３を例示している。番組群分け画面Ｇ３は、メイン出演番組群を選択させるための選択欄Ｇ３Ａと、ゲスト出演番組群を選択させるための選択欄Ｇ３Ｂとを含む。例えば、選択欄Ｇ３Ａには、ステップＳ２２０でメイン出演番組と判別された番組数が併せて記され、選択欄Ｇ３Ｂには、ステップＳ２２０でゲスト出演番組と判別された番組数が併せて記されている。
【００４７】
ステップＳ２４０では、ＣＰＵ２０は、メイン出演番組群またはゲスト出演番組群の選択を受け付ける。つまり、ユーザは、番組群分け画面Ｇ３の選択欄Ｇ３Ａ，Ｇ３Ｂいずれか一方を、リモコン２を操作することにより任意に選択することができ、ＣＰＵ２０は、このような選択欄Ｇ３Ａ，Ｇ３Ｂいずれかの選択による、メイン出演番組群またはゲスト出演番組群の選択を受け付ける。
【００４８】
ステップＳ２５０では、ＣＰＵ２０は、ステップＳ２４０で選択された番組群に含まれる番組を、出演者情報における指定人物名の記載状態の違いに応じてソートする。つまり、ステップＳ２４０でメイン出演番組群が選択されれば、ステップＳ２１０で検索された番組のうちステップＳ２２０でメイン出演番組と判別された番組（図６の例によれば５件の番組）をソートし、ステップＳ２４０でゲスト出演番組群が選択されれば、ステップＳ２１０で検索された番組のうちステップＳ２２０でゲスト出演番組と判別された番組（図６の例によれば２件の番組）をソートする。ステップＳ２５０におけるソートの手法自体は、第１〜第３実施例のいずれかを適用する。
【００４９】
ステップＳ２６０では、ＣＰＵ２０は、ステップＳ２５０でソートした番組の一覧を表示装置２００に表示させる（一覧表示工程）。
図７は、ステップＳ２６０において表示される番組一覧画面Ｇ４を例示している。番組一覧画面Ｇ４は、例えば、ステップＳ２４０でメイン出演番組群が選択された結果、メイン出演番組（ステップＳ２１０で指定人物名を出演者に含むものとして検索された計７件のうちの５件の番組）だけをソートして表示したものである。むろん、ステップＳ２４０でゲスト出演番組群が選択された場合には、ゲスト出演番組だけをソートした結果が、番組一覧画面Ｇ４として表示される。
【００５０】
このように第４実施例によれば、指定人物名が出演者に含まれる番組すべてをソートして一覧表示するのではなく、メイン出演番組群とゲスト出演番組群とに区分けし、選択された番組群についてソートおよび一覧表示するとした。そのため、一覧表示される番組数を効果的に削減でき、再生する番組の選択がより容易になる。また、番組一覧画面Ｇ４に表示される番組は、いずれもメイン出演番組（あるいはゲスト出演番組）という共通の属性で括られているため、ユーザは、そのような属性を認識して所望の番組を容易に選択することができる。
【００５１】
（第５実施例）
第４実施例のように、指定人物名を出演者に含む番組がメイン出演番組かゲスト出演番組かを判別するために、出演者情報における指定人物名の記載順との比較に用いるしきい値ＴＨは、固定された値である必要はない。例えば、ステップＳ２２０において、ＣＰＵ２０は、ＥＰＧデータの一部であるジャンル情報に応じて、しきい値ＴＨを変更するとしてもよい。これは、番組のジャンルが異なれば、主たる出演者に関する人数の概念が異なるからである。
【００５２】
ＣＰＵ２０は、例えば、バラエティ番組については、しきい値ＴＨを「３」程度に設定し、映画やドラマの番組については、主たる出演者＝１人の主演と想定し、しきい値ＴＨを「１」に設定する。そして、仮に指定人物名が出演者に含まれる２つの番組（番組Ｃおよび番組Ｄ）のうち、番組Ｃのジャンル情報が示すジャンルがバラエティ番組であり、番組Ｄのジャンル情報が示すジャンルが映画である場合、番組Ｃについてメイン出演番組かゲスト出演番組かを判別する際にはしきい値ＴＨ＝３とし、番組Ｄについてメイン出演番組かゲスト出演番組かを判別する際にはしきい値ＴＨ＝１として判別を行う。
【００５３】
このような第５実施例によれば、指定人物名を出演者に含むものとして検索された番組を、各番組のジャンルに則して、高い精度でメイン出演番組とゲスト出演番組とに区分けすることができる。従って、指定人物名が主たる出演者として出演している番組を知りたい（あるいは、指定人物名がゲストとして出演している番組を知りたい）といったユーザの要望に的確に応えることができる。
【００５４】
（第６実施例）
上述のステップＳ２２０で、指定人物名を出演者に含む番組を、出演者情報における指定人物名の記載状態の違いに応じて、メイン出演番組かゲスト出演番組かに判別する手法は、前記しきい値ＴＨを用いる手法に限られない。例えば、ＣＰＵ２０は、上述のステップＳ２２０では、出演者情報において指定人物名が主たる出演者であること示唆する特定の文字列（以下、第１の肩書）を伴う番組を、メイン出演番組と判別し、出演者情報において指定人物名がゲストの出演者であること示唆する特定の文字列（以下、第２の肩書）を伴う番組を、ゲスト出演番組と判別する。第１の肩書とは、例えば、「ＭＣ」、「司会」、「レギュラー」、「メインパーソナリティー」、「主演」等といった文字列である。また、第２の肩書とは、例えば、「ゲスト」、「コメンテーター」、「パネラー」、「助演」等といった文字列である。
【００５５】
例えば、指定人物名が“Ｍｒ．ＸＹＺ”であり、ステップＳ２１０で検索されたある番組の出演者情報に、「司会  Ｍｒ．ＸＹＺ」等と記載されていれば（図３参照）、ステップＳ２２０においてＣＰＵ２０は、当該番組をメイン出演番組と判別する。また、同じく指定人物名が“Ｍｒ．ＸＹＺ”であり、ステップＳ２１０で検索されたある番組の出演者情報に、例えば「今週のゲスト  Ｍｒ．ＸＹＺ」等と記載されていれば、ステップＳ２２０においてＣＰＵ２０は、当該番組をゲスト出演番組と判別する。
【００５６】
このような第６実施例によれば、指定人物名を出演者に含むものとして検索された番組を、メイン出演番組とゲスト出演番組とに区分けする際に、出演者情報において指定人物名が、第１の肩書あるいは第２の肩書を伴うかを判定することにより、高い精度でメイン出演番組とゲスト出演番組とに区分けすることができる。従って、指定人物名が主たる出演者として出演している番組を知りたい（あるいは、指定人物名がゲストとして出演している番組を知りたい）といったユーザの要望に的確に応えることができる。出演者情報において指定人物名が上述したような肩書きを伴うか伴わないかといった違いは、出演者情報における指定人物名の記載状態の一例に該当する。
【００５７】
なお、出演者情報に、第１の肩書および第２の肩書のいずれも伴わない状態で指定人物名が記載されていることも多々ある。そこで、第６実施例では、上述のステップＳ２２０でＣＰＵ２０は、例えば、指定人物名を出演者に含む番組のうち、出演者情報において指定人物名が第１の肩書を伴う番組をメイン出演番組と判別し、メイン出演番組に該当しない番組をゲスト出演番組と判別する（つまり、第２の肩書を伴うか否かの判断はしない）としてもよい。
【００５８】
（第７実施例）
上述のステップＳ２２０で、指定人物名を出演者に含む番組を、出演者情報における指定人物名の記載状態の違いに応じて、メイン出演番組かゲスト出演番組か判別する手法は、前記しきい値ＴＨを用いる手法や、前記第１（および第２）の肩書を用いる手法に限られない。例えば、ＣＰＵ２０は、上述のステップＳ２２０では、前記検索された番組を放送回が異なる同じ番組（録画済みの番組）との間で出演者情報を比較したとき、指定人物名が複数の放送回の出演者情報に重複して含まれている場合、当該番組をメイン出演番組と判別し、指定人物名が複数の放送回の出演者情報において重複していない場合、当該番組をゲスト出演番組と判別する。
【００５９】
例えば、指定人物名“山田○○○”を含む番組（番組Ｅ）ついて、ステップＳ２２０においてメイン出演番組かゲスト出演番組か判別する場合、当該判別の対象としている番組Ｅの出演者情報と、他の放送回の番組Ｅ（例えば、１週前の放送回の番組Ｅや、１週後の放送回の番組Ｅ）の出演者情報とを比較する。そして、指定人物名“山田○○○”が、複数の放送回の出演者情報に重複して含まれている場合は、この指定人物名が主たる出演者とみなせるため、当該判別の対象としている番組Ｅをメイン出演番組と判別する。一方、このような比較をしても、指定人物名“山田○○○”が、複数の放送回の出演者情報に重複して含まれていると認められない場合は、この指定人物名は主たる出演者ではない（例えば、１回限りのゲスト出演者）とみなせるため、当該判別の対象としている番組Ｅをゲスト出演番組と判別する。
【００６０】
このような第７実施例によっても、指定人物名を出演者に含むものとして検索された番組を、高い精度でメイン出演番組とゲスト出演番組とに区分けすることができる。特に、レコーダ１００は上述したループ録画を行うことで、放送回が異なる同じ番組（例えば、あるドラマの第１話、第２話、第３話…）を順次録り溜めることができる。そのため、ＣＰＵ２０は、第７実施例のように、放送回が異なる同じ番組（録画済みの番組）間で出演者情報を容易に比較することができる。また、各出演者を単に列挙するだけで、第６実施例で説明したような肩書を伴わない出演者情報を有する番組については、当該第７実施例による判別手法は特に有効である。
【００６１】
なお、第４〜第７実施例のように、指定人物名を出演者に含む番組を、メイン出演番組かゲスト出演番組かに判別した結果を、第１〜第３実施例において番組毎に付与するポイントに反映させることができる。つまりＣＰＵ２０は、第１〜第３実施例のステップＳ１２０（図２）においても、指定人物名を出演者に含む番組が、メイン出演番組であるかゲスト出演番組であるか判別する。そして、メイン出演番組と判別した番組については、メイン出演番組であることを理由にポイントを付加（追加）する。かかる処理を施すことで、指定人物名を出演者に含むものとして検索された番組の全てを、前記ポイントに応じてソートしたときに、番組の内容における指定人物名の重要度の差異をより高い精度で反映したソート結果をユーザに提供することができる。
【００６２】
（第８実施例）
上述したステップＳ１２０（図２）やステップＳ２５０（図５）では、出演者情報における指定人物名の記載順に応じて番組にポイントを付与する際に、特定の出演者を除外した上で指定人物名の記載順を認定するとしてもよい。具体的には、ＣＰＵ２０は、指定人物名とは別の出演者名であって、出演者情報において主たる出演者およびゲストの出演者のいずれにも該当しないことを示唆する特定の文字列（第３の肩書）を伴う出演者名を除外して、出演者情報における指定人物名の記載順を認定する。
【００６３】
第３の肩書としては、例えば、番組進行を補佐等するために出演している放送局所属のアナウンサー等を示す肩書が想定され、「キャスター」、「メインキャスター」、「○○テレビアナウンサー」等といった文字列が該当する。第８実施例では、このような第３の肩書を有する出演者は、出演者情報における指定人物名の記載順を認定する上での一種のノイズとして扱う。例えば、指定人物名が出演者に含まれる番組（番組Ｆ）の出演者情報において、出演者の３番目の位置に第３の肩書を伴うアナウンサーの氏名が記載されており、その次の４番目の位置に指定人物名が記載されている場合、ＣＰＵ２０は、当該アナウンサーの存在を除外し、指定人物名の記載順を１つ繰り上げて３番目と認定する。そして、ＣＰＵ２０は、このように認定した指定人物名の記載順に応じたポイントを、番組Ｆに付与する。
【００６４】
このような第８実施例によれば、番組進行の必要上出演している放送局所属のアナウンサー等を除いた番組出演者の中での指定人物名の記載順を把握することで、番組の内容における指定人物名の重要度をより正確に反映した、番組のソート結果をユーザに提示することができる。
【００６５】
（第９実施例）
図８は、第９実施例にかかる番組表示処理を示すフローチャートである。当該フローチャートの各ステップは、ＣＰＵ２０により実行される。
ステップＳ３００では、ＣＰＵ２０は、指定人物名の設定を複数受け付ける。つまりユーザは、テレビ番組に出演する多くの人物名の中から興味のある人物名を、リモコン２を操作することにより任意に複数レコーダ１００に対して入力し、レコーダ１００（ＣＰＵ２０）は、当該入力された複数の人物名を指定人物名として受け付ける。なお、ＣＰＵ２０は、ユーザの入力によって指定人物名の設定を行うのではなく、例えば、ループ録画された各番組を対象として出演者毎の番組出演回数を集計し、出演回数が多い上位数名の出演者の名称を、指定人物名として設定するとしてもよい。
【００６６】
ステップＳ３１０では、ＣＰＵ２０は、ハードディスクに録画された複数の番組の中から、前記複数の指定人物名毎に、指定人物名を出演者に含む番組を検索する（番組検索工程）。
ステップＳ３２０では、ＣＰＵ２０は、前記複数の指定人物のいずれかを選択させるための指定人物分け画面Ｇ５を表示装置２００に表示させる（人物別表示工程）。
【００６７】
図９は、ステップＳ３２０において表示される指定人物分け画面Ｇ５を例示している。指定人物分け画面Ｇ５は、ステップＳ３００で設定された指定人物名毎の人物名選択欄Ｎ１，Ｎ２，Ｎ３，Ｎ４…を含む。また、指定人物名毎の人物名選択欄Ｎ１，Ｎ２，Ｎ３，Ｎ４…にはそれぞれ、対応する指定人物名とともに、対応する指定人物名が出演者として含まれる番組の検索結果（番組数）が表示されている。例えば、複数の指定人物名のうちの１つの指定人物名“山田○○○”に対応する人物名選択欄Ｎ３には、指定人物名“山田○○○”を出演者に含む番組の検索結果として、７件という数字か表示されている。また、人物名選択欄Ｎ１，Ｎ２，Ｎ３，Ｎ４…は、このような番組数が多い順（あるいは少ない順）に並んで表示されている。
【００６８】
ステップＳ３３０では、ＣＰＵ２０は、指定人物名の選択を受け付ける。つまり、ユーザは、指定人物分け画面Ｇ５の人物名選択欄Ｎ１，Ｎ２，Ｎ３，Ｎ４…のいずれかを、リモコン２を操作することにより任意に選択することができ、ＣＰＵ２０は、このような人物名選択欄Ｎ１，Ｎ２，Ｎ３，Ｎ４…のいずれかの選択による、指定人物名の選択を受け付ける。
【００６９】
ステップＳ３４０では、ＣＰＵ２０は、ステップＳ３３０で選択された指定人物名についてステップＳ３１０で検索された複数の番組を、出演者情報における指定人物名の記載状態の違いに応じてソートする。ステップＳ３４０におけるソートの手法自体は、第１〜第８実施例のいずれかを適用する。つまり、第１〜第３実施例のように、指定人物名（ステップＳ３３０で選択された指定人物名）を出演者に含むものとして検索された番組すべてをソートしてもよいし、第４〜第７実施例のように、指定人物名（ステップＳ３３０で選択された指定人物名）を出演者に含むものとして検索された番組をさらにメイン出演番組群とゲスト出演番組群とに区分けし（図６参照）、メイン出演番組群とゲスト出演番組群のうちユーザに選択させた番組群の番組をソートしてもよい。
【００７０】
ステップＳ３５０では、ＣＰＵ２０は、ステップＳ３４０でソートした番組の一覧を表示装置２００に表示させる（一覧表示工程）。ステップＳ３５０において表示される番組一覧画面は、例えば、図４または図７を参照のこと。
このような第９実施例によれば、複数の指定人物名毎の人物名選択欄Ｎ１，Ｎ２，Ｎ３，Ｎ４…を含む指定人物分け画面Ｇ５を表示し、人物名選択欄Ｎ１，Ｎ２，Ｎ３，Ｎ４…それぞれに、対応する指定人物名を出演者に含むものとして検索された番組数を表示するとした。これにより、ある程度の期間内にある人物がどれだけの番組に出演しているかを、ユーザに容易に視認させることができる。
【００７１】
（第１０実施例）
第１０実施例は、第９実施例のフローチャート（図８）を流用する。
図１０は、第１０実施例において、ステップＳ３２０で表示される指定人物分け画面Ｇ６を例示している。指定人物分け画面Ｇ６は、ステップＳ３００で設定された指定人物名毎の人物名選択欄Ｎ１，Ｎ２，Ｎ３，Ｎ４…を含む。また、指定人物名毎の人物名選択欄Ｎ１，Ｎ２，Ｎ３，Ｎ４…にはそれぞれ、対応する指定人物名とともに、対応する指定人物名が出演者として含まれる番組毎の前記ポイントの合計数が表示されている。例えば、複数の指定人物名のうちの１つの指定人物名“山田○○○”に対応する人物名選択欄Ｎ３には、指定人物名“山田○○○”を出演者に含むものとして検索された各番組に上述したように付与されたポイントの合計数として、４５というポイントか表示されている。また、人物名選択欄Ｎ１，Ｎ２，Ｎ３，Ｎ４…は、このようなポイントの合計数が多い順（あるいは少ない順）に並んで表示されている。ただし、ステップＳ３２０の時点でポイントをこのように表示するには、当該ステップＳ３２０のタイミングで、上述したような出演者情報における指定人物名の記載順等に基づくポイント付与の処理を、指定人物名別に実行しておく必要がある。
【００７２】
このような第１０実施例によれば、複数の指定人物名毎の人物名選択欄Ｎ１，Ｎ２，Ｎ３，Ｎ４…を含む指定人物分け画面Ｇ６を表示し、人物名選択欄Ｎ１，Ｎ２，Ｎ３，Ｎ４…それぞれに、対応する指定人物名を出演者に含むものとして検索された番組毎の前記ポイントの合計数を表示するとした。これにより、ある程度の期間内にある人物がどれだけテレビ業界で重要な立ち位置に居たか（人気、活躍の度合い）を、ユーザに容易に視認させることができる。
【００７３】
さらに、
・上記各実施例の中で開示した相互に置換可能な部材および構成等を適宜その組み合わせを変更して適用すること、
・上記各実施例の中で開示されていないが、公知技術であって上記各実施例の中で開示した部材および構成等と相互に置換可能な部材および構成等を適宜置換し、またその組み合わせを変更して適用すること、
・上記各実施例の中で開示されていないが、公知技術等に基づいて当業者が上記各実施例の中で開示した部材および構成等の代用として想定し得る部材および構成等と適宜置換し、またその組み合わせを変更して適用すること、
は本発明の一実施例として開示されるものである。
【符号の説明】
【００７４】
１…レコーダ本体、２…リモコン、１１…チューナ、１２…ＨＤＤ部、１３…ＤＶＤ部、１４…信号処理部、１５…ＥＰＧデータ抽出部、１６…ＯＳＤ部、１７…合成部、１８…出力部、１９…受信部、２０…ＣＰＵ、２１…ＲＯＭ、２２…ＲＡＭ、１００…レコーダ、２００…表示装置、Ｇ１…番組説明画面、Ｇ２，Ｇ４…番組一覧画面、Ｇ３…番組群分け画面、Ｇ５，Ｇ６…指定人物分け画面
【図１】
2015226121.tif 000003
【図２】
2015226121.tif 000004
【図３】
2015226121.tif 000005
【図４】
2015226121.tif 000006
【図５】
2015226121.tif 000007
【図６】
2015226121.tif 000008
【図７】
2015226121.tif 000009
【図８】
2015226121.tif 000010
【図９】
2015226121.tif 000011
【図１０】
2015226121.tif 000012